(57)【要約】【課題】保守点検が容易で、しかも遊技機島の高さを低くするとともに、強制的に遊技媒体を搬送制御することによって、搬送効率に優れ、且つ部品点数が少なく、コスト的に有利な水平搬送装置を提供する。【解決手段】列設した遊技機に補給シュートを介して遊技媒体を補給する水平搬送装置であって、水平搬送装置は、遊技機上に架設された補給レールと、前記補給レール内の長手方向に形成された搬送経路と、該搬送経路の回廊に並設された複数の回転ディスクと、搬送経路中に配設された複数のガイドと、前記回転ディスクの駆動装置を備え、搬送経路中に供給された遊技媒体を回転ディスクを同一方向に回転させることにより搬送するとともに、ガイドにより、遊技媒体の搬送流を制御したものである。【選択図】  図９
2004313667.tif 000002
【特許請求の範囲】
【請求項１】
列設した遊技機に補給シュートを介して遊技媒体を補給する水平搬送装置であって、
前記水平搬送装置は、遊技機島上に架設された補給レールと、
前記補給レール内の長手方向に形成された搬送経路と、
該搬送経路の回廊に並設された複数の回転ディスクと、
前記搬送経路中に配設された複数のガイドと、
前記回転ディスクの駆動装置を備え、
前記搬送経路中に供給された遊技媒体を回転ディスクを同一方向に回転させることにより搬送するとともに、
前記ガイドにより、遊技媒体の搬送流を制御した
ことを特徴とする、水平搬送装置。
【請求項２】
請求項１項に記載の水平搬送装置において、
前記ガイドを前記搬送経路の一側面に配設した
ことを特徴とする、水平搬送装置。
【請求項３】
請求項１乃至請求項２項に記載の水平搬送装置において、
前記ガイドに垂直面を形成し、
該垂直面を補給シュートの開口に臨ませた
ことを特徴とする、水平搬送装置。
【請求項４】
請求項１乃至請求項２、ならびに請求項３項に記載の水平搬送装置において、
前記ガイドに、前記垂直面に対向した傾斜面と、
該垂直面と前記傾斜面との間に平坦面を形成し、
該傾斜面を上流に向けて配設した
ことを特徴とする、水平搬送装置。
【請求項５】
請求項１乃至請求項４項に記載の水平搬送装置において、
前記ガイドの上面を前記複数の回転ディスクの中心を結ぶ中心線近傍にまで臨ました、
ことを特徴とする、水平搬送装置。
【請求項６】
請求項１乃至請求項５に記載の水平搬送装置において、
前記ガイドを合成樹脂にて形成した
ことを特徴とする、水平搬送装置。
【発明の詳細な説明】
【０００１】
【発明の属する技術分野】
本発明は、遊技機島にて用いられ、その遊技機島を構成する遊技機に遊技媒体を搬送する水平搬送装置に関する。
【０００２】
【従来の技術】
従来、一般的には、遊技機島に配設されている遊技機に遊技媒体を搬送するには、補給経路を傾斜上に形成し、その傾斜を利用し、補給タンクから供給された遊技媒体を各々の遊技機に供給していた。しかしながら、このような構成の補給経路を備えた遊技機島では、遊技機島の上部が高く且つ大きくなり、その傾向は補給経路が長くなるほど顕著になる。このため、遊技機島が防犯カメラの死角となる。また、遊技場内の照明が必要以上多くなる等、遊技場の内装設備等の設計自由度を阻害する恐れがあった。
このため、それらの問題点を解決するために、特許第２５１８４９０号（特許文献１）のような構成が開示されている。この構成は、固定経路部を流下してきたパチンコ玉を、駆動モータ２６（特許文献１中符号）によって回転駆動される駆動ローラ２２（特許文献１中符号）と、従動ローラ２３（特許文献１中符号）と、その間に掛け渡される水平搬送ベルト２１（特許文献１中符号）によって搬送するものである。
【０００３】
そして、この特許文献１において、パチンコ玉を分離器４１（特許文献１中符号）に導くために、膨出側壁４４（特許文献１中符号）を設け、水平搬送ベルト２１（特許文献１中符号）によって送られてきたパチンコ玉を分離器４１に振り分けていた。
【０００４】
この出願の発明に関連する先行技術文献としては次のものがある。
【特許文献１】
特許第２５１８４９０号（特開平６−３９１３６）
【０００５】
【発明が解決しようとする課題】
しかしながら、上記した従来の水平搬送ベルト２１（特許文献１中符号）によるパチンコ玉の搬送構造では、遊技機島の上部が高く且つ大きくなる、遊技島台が防犯カメラの死角となる、遊技場の内装設備等の設計自由度を阻害する等の問題点は解消されるが、水平搬送ベルト２１（特許文献１中符号）に不都合が生じた場合等、ベルト自体を停止して修理する必要がある等、装置の保守点検が困難であるばかりか、ベルトを張設する部品であるテンションローラ２４（特許文献１中符号）やベルト支持部材２５（特許文献１中符号）が必要となり、部品点数が増加し、コスト高となる。更に、水平搬送ベルト２１（特許文献１中符号）は、駆動ローラ２２（特許文献１中符号）と従動ローラ２３（特許文献１中符号）との間に無端上に掛け渡されている。このためパチンコ玉の搬送は、常時、水平搬送ベルト２１（特許文献１中符号）の一面で行われているが、装置としては、使用されていない部分のスペースまでを確保する必要があり、遊技機島の上部の高さを低くするには限度があった。
【０００６】
更に、水平搬送ベルト２１（特許文献１中符号）で搬送されたパチンコ玉は、樽状に形成されたテンションローラ２４（特許文献１中符号）と板状のベルト支持部材２５（特許文献１中符号）とを交互に設けて保持される水平搬送ベルト２１（特許文献１中符号）から玉待機経路部４０（特許文献１中符号）に転動され、膨出側壁４４（特許文献１中符号）によって、分離器４１（特許文献１中符号）にパチンコ玉を導くため、パチンコ玉の搬送流は、水平搬送ベルト２１（特許文献１中符号）からの自然（傾斜による）な流れに委ねられており、且つ、玉待機経路部４０（特許文献１中符号）に一旦待機させた後に、分離器４１（特許文献１中符号）への振り分けられるものであるから、パチンコ機２（特許文献１中符号）の作動状況に機敏に対応することができなかった。
【０００７】
本発明は、上記の問題を解決するためになされたものであり、その目的は、保守点検が容易で、しかも遊技機島の高さを低くするとともに、遊技媒体の搬送効率を向上させ、且つ部品点数が少なく、コスト的に有利で、しかも、遊技媒体の搬送流を制御し、遊技媒体を積極的に補給シュートに供給することができる水平搬送装置を提供するものである。
【０００８】
【課題を解決するための手段】
上記課題を解決するため、本発明においては、列設した遊技機に補給シュートを介して遊技媒体を補給する水平搬送装置であって、水平搬送装置は、遊技機島上に架設された補給レールと、補給レール内の長手方向に形成された搬送経路と、該搬送経路の回廊に並設された複数の回転ディスクと、搬送経路中に配設された複数のガイドと、回転ディスクの駆動装置を備え、搬送経路中に供給された遊技媒体を回転ディスクを同一方向に回転させることにより搬送するとともに、ガイドにより、遊技媒体の搬送流を制御したものである。
【０００９】
補給タンクから補給レール内に並設された複数の回転ディスクの内、補給タンク側の回転ディスク上に供給された遊技媒体は、該回転ディスクの回転による遠心力により、直接或いはガイドによって、その搬送流が制御され、隣設された回転ディスクに搬送される。この制御された遊技媒体の一部は、直接或いは、ガイドによって弾かれ、且つまた、ガイドによって堰き止められた後に補給シュートに供給される。このように回転ディスクの回転による遠心力によって搬送された遊技媒体は、強制的に隣設する回転ディスクに搬送され、且つ、補給シュートに供給される。
このようにして、遊技媒体は、水平面上を順次下流に搬送されつつ、補給シュートを介して各々の遊技機に補給される。
【００１０】
このことにより、回転ディスクの一部が故障してもカバーを開けて、その部分のみ交換（回転ディスク、ガイド等）するなど、保守点検が容易で、しかも遊技機島の高さを低くするとともに、強制的に、確実、多量の遊技媒体を遊技機に搬送制御することができ、且つ部品点数が少なく、コスト的に有利な水平搬送装置が得られる。
【００１１】
次の発明は、ガイドを搬送経路の一側面に配設したものである。
【００１２】
このことにより、搬送経路のガイドが配設された側の補給シュートへの遊技媒体の搬送流は、回転ディスクから直接、且つガイドによって堰き止められた後に搬送され、補給シュートに供給さる。また、反対側の補給シュートへの遊技媒体の搬送流は、回転ディスクから直接、且つガイドによって弾かれた遊技媒体が搬送され、補給シュートに供給される。このように、遊技媒体の搬送分流は、回転ディスクの遠心力とガイドの堰き止め機能と反発機能を有効に利用することによって制御される。そして、回転ディスク上で搬送された遊技媒体は、水平面上を滑らかに、且つ効率的に流下するように制御され、容易に補給シュートに供給される。
【００１３】
更に、次の発明は、ガイドに垂直面を形成し、該垂直面を補給シュートの開口に臨ませたものである。
【００１４】
このことにより、回転ディスクにより搬送された遊技媒体は、この垂直面によって、搬送流が制御され、確実に補給シュートに供給される。
【００１５】
更に、次の発明は、ガイドに、垂直面に対向した傾斜面と、該垂直面と前記傾斜面との間に平坦面を形成し、該傾斜面を上流に向けて配設した
ものである。
【００１６】
この場合、回転ディスク上に供給された遊技媒体の搬送流は、傾斜面に沿って回転ディスクの中心方向に移動し、平坦面を経て、垂直面側に案内され、補給シュートに供給される流れに制御される。したがって、遊技媒体は、回転ディスクの回転により、平坦面上においては、常に補給シュート方向に力が作用しているため、垂直面に達した時に強制的に補給シュートに供給されるように制御されており、遊技媒体が効率的に遊技機に供給される。
【００１７】
更に、次の発明は、ガイドの上面を複数の回転ディスクの中心を結ぶ中心線近傍にまで臨ましたものである。
【００１８】
このことにより、回転ディスクとともに回転搬送されてきた遊技媒体が、ガイドの垂直面により規制され、再回転し、元の位置に戻ることを極力回避するように制御し、搬送効率の向上を図っている。
【００１９】
更に、次の発明は、ガイドを合成樹脂にて形成したものである。
【００２０】
このことにより、ガイドを容易、安価に製作でき、かつ、遊技媒体との間に生ずる騒音も軽減できる。
【００２１】［用語の定義等］
「上流と下流とは」、水平搬送装置に、遊技媒体を供給する補給タンク側とその反対側を言い、隣設するもの同士では、補給タンク側を上流、反対側を下流と言う。
【００２２】
「搬送流とは」、水平搬送装置上での遊技媒体の搬送状態を言い、水平搬送装置上で滞留している状態も含む。
【００２３】
「直接とは」、遊技媒体の搬送流の説明中に用いられる「直接」とは、遊技媒体単独の流れに用いるものの他に、遊技媒体同士が干渉しあってその方向に流れるものも含まれる。
【００２４】
【発明の実施の形態】
以下、本発明の好ましい実施形態を、図面に基づいて説明する。図１は、本発明の実施に係る水平搬送装置を備えた遊技機島を示した正面図である。図２は、本発明の水平搬送装置の配列を示した平面図である。図３は、本発明の要部平面図である。図４は、図３のＡ−Ａ矢視図である。図５は、本発明の水平搬送装置の側面図である。図６は、補給レールと回転ディスクとの嵌合状態を示した分解斜視図、図７は、第一のガイドを示した斜視図、図８は、第二のガイドを示した斜視図、図９は、遊技媒体の搬送流を示した説明図、図１０は、補給シュートっを示した概略平面図、図１１は、補給シュートを示した概略正面図である。
【００２５】
本発明の水平搬送装置１は、図１に示すように、補給タンク４内部に貯留された遊技媒体３を、補給シュート５を経由して遊技機２に供給するとともに、残った遊技媒体３を、循環ホース６と下タンク７を経由し、研磨塔を兼ねる揚送装置８によって補給タンク４に還流する循環システムに用いるもので、遊技機２を列設した遊技機島１００上に水平に架設されている。
【００２６】
水平搬送装置１は、補給レール１０と、その補給レール１０の内部に配設された複数の回転ディスク２０ａ、２０ｂ、・・・２０ｌと、その回転ディスク２０ａ、２０ｂ、・・・２０ｌを回転させる駆動装置３０と、駆動装置３０の駆動を回転ディスク２０ａ、２０ｂ、・・・２０ｌに伝達する伝達機構４０と、遊技媒体３の流れを制御するガイド５０，６０と、補給レール１０を覆うカバー１７（図５参照）とを備えている。
【００２７】
補給レール１０は、図５並びに図６に詳述するように、底板１１と、断面略チャンネル形状のレール枠体１２と、帯状の側板１３、１３′と、平板状の隔板１４を備えている。
【００２８】
レール枠体１２は、天板１２ａと、側壁１２ｂ、１２ｂ′と、該側壁１２ｂ、１２ｂ′の下端を内側に折曲して形成された取付片１２ｃ、１２ｃ′を備えた断面略チャンネル形状を成している。この取付片１２ｃ、１２ｃ′の下側には、底板１１が、スクリュー１２ｄで取付けられている。
【００２９】
側板１３、１３′は、帯状の本体１３ａ、１３ａ′と、その本体１３ａ、１３ａ′の上端を内側に折曲して形成した取付片１３ｂ、１３ｂ′を備えている。そして、本体１３ａ、１３ａ′には、複数の矩形形状を成す連通孔１３ｃ、１３ｃ′が形成されている。前述の取付片１３ｂ、１３ｂ′の上側には、カバー１７が着脱可能にスクリュー１３ｄで固定されている。
【００３０】
側板１３、１３′に形成された連通孔１３ｃ、１３ｃ′の外側には、補給シュート５が、その開口５ａを連通孔１３ｃ、１３ｃ′の下縁に臨まして取付けられており、搬送経路１６内を流下する遊技媒体３を連通孔１３ｃ、１３ｃ′を通過させ、開口５ａから補給シュート５内に供給する。このため、回転ディスク２０ａ、２０ｂ、・・・２０ｌの上面と、隔板１４の上面と、連通孔１３ｃ、１３ｃ′の下縁と、開口５ａの下縁とは、略同一平面上に並設されている。
【００３１】
平板状の隔板１４は、レール枠体１２の天板１２ａに載置され、スクリュー等任意の方法で取付固定されている。
【００３２】
尚、補給レール１０を、レール枠体１２と側板１３，１３′とを一体成形し、その側板１３，１３′間に隔板１４を架設して構成しても良い。
【００３３】
そして、この補給レール１０には、底板１１とレール枠体１２で画成された伝達機構４０の収納部１５と、側板１３，１３′と隔板１４とカバー１７で画成された搬送経路１６が設けられている。
【００３４】
補給シュート５は、図１０、図１１に示すように、搬送経路１６内を流下する遊技媒体３を側板１３、１３′に形成された連通孔１３ｃ、１３ｃ′を介して導入するための開口５ａが形成されている。そして、その開口５ａを連通孔１３ｃ、１３ｃ′の外枠に当接させて、補給レール１０に取付けられている。（図３参照）そして、開口５ａから導入された遊技媒体３は、傾斜路５ｂ、円筒５ｃを経由して遊技機２に供給される。
【００３５】
この補給シュート５は、透明または半透明な合成樹脂等で形成されており、開口５ａの少なくとも１つが、回転ディスク２０ａ、２０ｂ、・・・２０ｌの垂直中心線Ｖ−Ｖ上に、位置するように、両側板１３，１３′に取付配置されている。即ち、側板１３側には、回転ディスク２０ｂ，２０ｃ，２０ｅ、２０ｇ、２０ｊ、２０ｌに対応して補給シュート５が、他方の側板１３′側には、回転ディスク２０ａ，２０ｃ，２０ｅ，２０ｇ，２０ｉ、２０ｋに対応して補給シュート５が配置されている。そして、回転ディスク２０ａ、２０ｂ、・・・２０ｌの上面と、隔板１４の上面と、連通孔１３ｃ、１３ｃ′の下縁と、開口５ａの下縁とは、略同一平面上に並設されている。
【００３６】
また、このカバー１７と隔板１４（回転ディスク２０ａ、２０ｂ、・・・２０ｌ）との間隔（高さ）は、遊技媒体３の径より若干広く設定してある。即ち、遊技媒体３が重ならないように構成されているが、特に、このカバー１７と隔板１４の間隔を空けて、遊技媒体３が重なるようにしても支障はない。
【００３７】
隔板１４には、回転ディスク２０ａ、２０ｂ、・・・２０ｌの嵌合凹部１４ａが形成され、回転ディスク２０ａ、２０ｂ、・・・２０ｌの円盤を若干の隙間（遊技媒体３が落下しない程度）を設けて嵌合している。
【００３８】
この嵌合凹部１４ａには、中心に回転ディスク２０ａ、２０ｂ、・・・２０ｌを取付板２２に固定するためボルト１４ｅと取付孔１４ｄが形成されている。また、周壁１４ｂには、排出口１４ｃが設けられている。この排出口１４ｃから嵌合凹部１４ａ内に侵入したごみや塵を外部に排出する。
【００３９】
回転ディスク２０ａ、２０ｂ、・・・２０ｌは、合成樹脂製（ポリアセタール，ＡＢＳ，ＰＰ、ポリアミド、高分子ポリエチレン、ポリカーボネイト等）の円盤２１と、金属製の取付板２２とより構成されている。この円盤２１は、隔板１４に形成された嵌合凹部１４ａに嵌合され、且つ取付板２２を介して、ボルト１４ｅ、１４ｆで伝達機構４０の回転軸４１にネジ止めされている。
【００４０】
側板１３、１３′と回転ディスク２０ａ、２０ｂ、・・・２０ｌとの水平方向の間隔Ｄは、側板１３、１３′に遊技媒体３が当接した状態で、遊技媒体３の一部が、回転ディスク２０ａ、２０ｂ、・・・２０ｌの上面に接触するように設定されている。本発明の実施形態では、側板１３、１３′間を１６０ｍｍに、その側板１３、１３′間の短手方向中心（８０ｍｍ）に、回転ディスク２０ａ、２０ｂ、・・・２０ｌの中心を位置させるとともに、円盤２１の径を１４０ｍｍに設定している。尚、回転ディスク２０ａ、２０ｂ、・・・２０ｌの中心を長手方向に結んだ線を水平方向の中心軸線Ｌ−Ｌとしている。ちなみに、一般的な遊技媒体３の径は１１ｍｍに形成されている。
【００４１】
駆動装置３０は、一般的に直交軸ギアモータと呼ばれるモータ３１と、ギアヘッド３２と、出力軸３３と、その出力軸３３に取付られている平歯車３４とよりなり、補給レール１０の上方に、補給レール１０の短手方向に平行に配設されている。このことによって、駆動装置３０の出力軸３３は、モータ３１に対して垂直に伸び、平歯車３４を介して、伝達機構４０の平歯車４２に噛合っている。この噛合いにより駆動装置３０の駆動が伝達機構４０に伝達される。
【００４２】
また、駆動装置として、一般的なモータを用い、ウォームギア、平歯車等の公知の伝達機構を介して回転ディスクを駆動する構造や、回転ディスク毎に駆動装置を配設する方法、等任意の方法を採用しても良い。
【００４３】
伝達機構４０は、各回転ディスク２０ａ、２０ｂ、・・・２０ｌ毎に設けられた回転軸４１と、駆動装置３０の出力軸３３に取付られた平歯車３４と噛合う平歯車４２と、その平歯車４２の間に配設されたアイドルギア４３とを備えている。この回転軸４１は、隔板１４と、底板１１と、底板１１の外側に取付けられたブラケット４６に軸受４４，４５を介して軸支されている。これらの隣設する平歯車４２は、中間にアイドルギア４３を配設することによって、回転方向が同一方向となるように設定されている。このことによって、回転ディスク２０ａ、２０ｂ、・・・２０ｌ、のすべてが同一方向に回転する。
【００４４】
尚、伝達機構４０は、平歯車４２とアイドルギア４３の組合せを採用しているが、平歯車同士、タイミングベルトなど他の手段を用いても良い。
【００４５】
この実施例のように、回転ディスクの回転方向を同一方向にした水平搬送装置１に配設されるガイド５０，６０は、搬送経路１６を形成する側板１３ｂ、１３ｂ′の一方の側板１３ｂにスクリューで固定されている。そして、このガイド５０，６０の取付位置は、高さ方向で、隔板１４の表面から遊技媒体３がガイド５０，６０の下側にもぐり込まない程度の間隔をあけてある。側板１３ｂの長手方向には、回転ディスク２０ｃに対応してガイド５０が、回転ディスク２０ｂ、２０ｅ、２０ｇ、２０ｊ、２０ｌに対応してガイド６０が配設されている。この実施例では、図７、図８に詳述するように、２種類のガイドが配設されている。
【００４６】
図７は、第一のガイド５０を示した斜視図であって、このガイド５０は、傾斜面５１と垂直面５２と水平面５３を有する略直角三角形板状に形成され、図２に示すように、補給シュート５の開口５ａの近傍に、垂直面５２が臨むようにし、且つ傾斜面５１を搬送経路１６の上流に向け、水平面５３を側板１３に当接させ、スクリューで固定されている。
【００４７】
図８は、第二のガイド６０を示した斜視図で、ガイド６０は、一辺に傾斜面６１を形成するとともに傾斜面６１に対向する垂直面６２と、平坦な上坦面６３と上坦面６３より長い下坦面６４を有する四角形板状に形成され、図２に示すように、傾斜面６１を搬送経路１６の上流（補給タンク４側）向け、垂直面６２が補給シュート５の開口５ａの近傍に来るようにスクリューで固定されている。
【００４８】
これらのガイド５０とガイド６０に形成された傾斜面５１と６１は、上流から下流に向けて、側板１３から回転ディスク２０ａ、２０ｂ、・・・２０ｌの回転中心を結ぶ中心軸線Ｌ−Ｌの方向へ傾斜している。尚、この傾斜面５１と６１の傾斜勾配は、回転ディスク２０ａ、２０ｂ、・・・２０ｌの回転数、径等により任意に設定される。
【００４９】
この略直角三角形板状のガイド５０と、四角形板状のガイド６０は、遊技機島台の設計時に、遊技機島の長さ、その繋ぎの台数などの条件によって決定されるもので、各補給シュート５の間隔が狭い場合にはガイド５０を、間隔が広い場合には、平坦な上坦面６３と上坦面６３より長い下坦端面６４の長さを長手方向に調整することができるガイド６０を用いている。
【００５０】
次に、図９により、水平搬送装置１における遊技媒体３の搬送流Ｒについて詳述する。
【００５１】
補給タンク４の貯留されている遊技媒体３を重ならないように補給レール１０の搬送経路１６内に供給すると、遊技媒体３は、その補給レール１０の内部に配設された複数の回転ディスク２０ａ、２０ｂ、２０ｃ（以下、省略する。）のもっとも補給タンク４に近い回転ディスク２０ａ上に転がされる。転がされた遊技媒体３は、回転ディスク２０ａの回転（本実施例では、反時計回りに回転している）による遠心力で運ばれ、更に、次の回転ディスク２０ｂの遠心力が付加され、順次、各回転ディスク２０ｃの回転による遠心力も加わり、搬送時の抵抗などによる搬送効率の低下を防止しつつ流下する。そして、遊技媒体３は、まず、回転ディスク２０ｂに対応して配設されているガイド６０の傾斜面６１に沿って運ばれた後に、ガイド６０の平坦面６３上を転がり、また一方には、平坦面６３上で弾かれ、回転ディスク２０ｂに送りこまれる。そして、ガイド６０の垂直面６２に沿って、補給シュート５の開口５ａより遊技機２（図１参照）に供給される。
【００５２】
まず、最も上流（補給タンク４側）に位置する回転ディスク２０ａと隣設する回転ディスク２０ｂと、この間に配設されたガイド６０によって遊技媒体３がどのように制御されて搬送されるかを詳述する。この間には、搬送経路１６の入口と補給シュート５間の間隔が広いのでガイド６０が配設されている。このガイド６０の垂直面６２は、回転ディスク２０ｂに対応して側板１３、１３′に配設された補給シュート５の開口５ａに臨んでいる。
【００５３】
まず、補給タンク４より、供給された遊技媒体３は、最も上流に配置された回転ディスク２０ａに送り込まれる。この時、遊技媒体３は、ガイド６０の傾斜面６１とガイド６０が存在しない範囲に広がって供給され、補給タンク４からの供給時の押圧力や遊技媒体３の自重などによって、回転ディスク２０ａ上に搬送され、その後、各々別の搬送流Ｒ（Ｒ１〜Ｒ５）を形成し、次の回転ディスク２０ｂに送り込まれる。
【００５４】
第一の搬送流Ｒ１は、ガイド６０の傾斜面６１に補給タンク４からの押出し力によって、押し付けられ、傾斜面６１に沿って駆け上がり上坦面６３に送られる。そして上坦面６３の端から垂直面６２を経て補給シュート５の開口５ａに至る。（一部は、開口５ａの近傍に形成された貯留空地Ｓに滞留する。）
【００５５】
第二の搬送流Ｒ２は、遊技媒体３をガイド５０，６０が取付けられている側板１３と反対側の側板１３′に取付けられている補給シュート５へ供給する搬送流である。この搬送流Ｒ２は、回転ディスク２０ａの回転による遠心力によって直接、あるいは、ガイド６０によって、はじかれた遊技媒体３によって行われる。
【００５６】
搬送流Ｒ３は、回転ディスク２０ａの回転力や遠心力によって、他方の側板１３′に沿って、回転ディスク２０ｂ・・・２０ｌの方向、即ち下流に運ばれる流れである。この流れの一部は、途中、ガイド５０，６０が取付られている方向にも搬送され、次のガイド５０或いは６０によって制御されたり、補給シュート５に供給されたりする。
【００５７】
次に、回転ディスク２０ｃに対応する位置には、隣設する補給シュート５の間が狭いためガイド５０が配設されている
【００５８】
まず、ガイド５０の傾斜面５１には、搬送流Ｒ４が送り込まれる。この搬送流Ｒ４は、ガイド６０と５０の間に形成された貯留空地Ｓに溜まった遊技媒体３が回転ディスク２０ｂの回転力や自重によって送りこまれる流れである。この流れによる遊技媒体３は、垂直面５２に沿って補給シュート５の開口５ａを経由して遊技機２に送りこまれる。
【００５９】
搬送流Ｒ３は、回転ディスク２０ｂ、２０ｃの回転力や遠心力によって、ガイド５０の垂直面５２方向へ流れる搬送流Ｒ５を形成する。
【００６０】
このように、補給タンク４から回転ディスク２０ａに供給された遊技媒体３は、供給時の押圧力、自重並びに各回転ディスク２０ａ、２０ｂ、・・・２０ｌの回転力、遠心力などによって、強制的に搬送流Ｒを形成し、その搬送流Ｒは、ガイド５０，６０によって、搬送流Ｒ１〜Ｒ５に制御され、最も効率的な搬送流Ｒとなり、遊技媒体３を下流、或いは補給シュート５に供給される。
【００６１】
このようにして、補給レール１０の下流に搬送された遊技媒体３は、補給レール１０の下流に連結された循環ホース６、下タンク７を経由して、研磨塔を兼ねる揚送装置８に送り込まれ、再び、補給タンク４へと還流される。
【００６２】
尚、本発明の水平搬送装置１は、遊技機島上に水平に配置されているが、若干の傾斜を設けても良い。この場合には、遊技媒体３の搬送量が増加する。
【００６３】
【発明の効果】
以上のように、本発明によれば、列設した遊技機に補給シュートを介して遊技媒体を補給する水平搬送装置を、遊技機上に架設された補給レールと、補給レール内の長手方向に並設された複数の回転ディスクと、該回転ディスクの駆動装置を備え、遊技機に補給すべき遊技媒体を回転ディスクの同一方向の回転力により搬送することにより、回転ディスクの一部が故障してもカバーを開けて、その部分のみ交換するなど、保守点検が容易で、しかも遊技機島の高さを低くするとともに、強制的に遊技媒体を搬送制御することによって、搬送効率に優れ、且つ部品点数が少なく、コスト的に有利な水平搬送装置を提供することができる。
【図面の簡単な説明】
【図１】本発明の実施に係る水平搬送装置を備えた遊技島を示した正面図である。
【図２】本発明の実施に係る水平搬送装置を示す平面図である。
【図３】本発明の要部平面図である。
【図４】図３のＡ−Ａ矢視図である。
【図５】本発明の水平搬送装置の側面図である。
【図６】本発明の補給レールと回転ディスクとの嵌合状態を示した分解斜視図である。
【図７】第一のガイドを示した斜視図である。
【図８】第二のガイドを示した斜視図である。
【図９】遊技媒体の搬送流を示した説明図である。
【図１０】補給シュートを示した概略平面図である。
【図１１】補給シュートを示した概略正面図である。
【符号の説明】
１…水平搬送装置
１０…補給レール
１１…底板
１２、…レール本体
１３、１３′…側板
１３ｃ、１３ｃ′…連通孔
１４…隔板
１４ａ…嵌合凹部
１５…収納部
１６…搬送経路
１７…カバー
２０ａ、２０ｂ、…２０ｌ…回転ディスク
２１…円盤
２２…取付板
３０…駆動装置
３１…モータ
３２…ギアヘッド
３３…出力軸
４０…伝達機構
４１…回転軸
４２…平歯車
４３…アイドルギア
５０…ガイド
５１…傾斜面
５２…垂直面
６０…ガイド
６１…傾斜面
６２…垂直面
６３…上坦面
６４…下坦面
２…遊技機
３…遊技媒体
４…補給タンク
５…補給シュート
５ａ…開口
６…循環ホース
７…下タンク
８…研磨塔兼揚送装置
１００…遊技機島台
Ｒ（Ｒ１〜Ｒ５）…搬送流
【図１】
2004313667.tif 000003
【図２】
2004313667.tif 000004
【図３】
2004313667.tif 000005
【図４】
2004313667.tif 000006
【図５】
2004313667.tif 000007
【図６】
2004313667.tif 000008
【図７】
2004313667.tif 000009
【図８】
2004313667.tif 000010
【図９】
2004313667.tif 000011
【図１０】
2004313667.tif 000012
【図１１】
2004313667.tif 000013